(57)【要約】      （修正有）【課題】燃焼溶射ガンのためのバルブを提供すること。【解決手段】装置は、燃焼溶射ガンのハウジング１５に対してチャージ位置に回転可能なトーション要素３０を含む。装置はまた、トーション要素３０に力を加える付勢要素も含み、その力がバルブコアをオフ位置に移動するようにトーション要素３０を押し付ける。装置はさらに、トーション要素３０に選択的に係合し、チャージ位置に保持するように構成された係合機構も含む。【選択図】図５Ａ
2010255117.tif 000002
【特許請求の範囲】
【請求項１】
燃焼溶射ガンのための安全機構を設けるように構成された装置であって、
燃焼溶射ガンのハウジングに対してチャージ位置に回転可能なトーション要素と、
バルブコアをオフ位置に移動するように前記トーション要素を押し付ける力を前記トーション要素に加える付勢要素と、
前記トーション要素に選択的に係合し、前記チャージ位置に保持するように構成された係合機構と、を含んでいる装置。
【請求項２】
少なくともあらかじめ定められた力が前記係合機構に加えられたとき、前記係合機構が前記トーション要素を前記チャージ位置に保持し、
前記あらかじめ定められた力より小さい力が前記係合機構に加えられたとき、前記係合機構が前記トーション要素から係合解除する、請求項1に記載の装置。
【請求項３】
前記トーション要素が前記係合機構によって前記チャージ位置に保持されている間、前記バルブコアが前記トーション要素および前記ハウジングに対して回転可能である、請求項1に記載の装置。
【請求項４】
前記トーション要素が係合面を含み、
前記係合機構が前記係合面に係合する構造および配置の爪を含んでいる、請求項1に記載の装置。
【請求項５】
前記係合面が前記トーション要素の外側部分の切込みに形成されている、請求項4に記載の装置。
【請求項６】
前記爪に固定的に連結されているトリガーをさらに含み、前記トリガーは前記爪を前記トーション要素に対して移動させる構造である、請求項4に記載の装置。
【請求項７】
前記トリガーに、あらかじめ定められた力より大きい、またはあらかじめ定められた力と等しいトリガー力を加えることが、前記爪を前記係合面と係合させて維持し、前記付勢要素が前記トーション要素を回転させることを防いでいる、請求項6に記載の装置。
【請求項８】
前記付勢要素が、前記ハウジングに対して回転するように前記トーション要素を付勢するばねを含んでいる、請求項1に記載の装置。
【請求項９】
前記燃焼溶射ガンが手持ち式空気動力燃焼溶射ガンである、請求項1に記載の装置。
【請求項１０】
ハウジングおよび該ハウジング内に回転可能に配設され、オフ位置とフルフロー位置との間で選択的に配置可能なバルブコアを含むガスヘッドアセンブリと、
前記バルブコアを前記オフ位置に向かって付勢するように配置可能な付勢要素と、
前記付勢要素に関連付けられた付勢力に選択的に反作用するように構成された係合機構と、を含んでいる燃焼溶射ガン。
【請求項１１】
ハンドルおよび該ハンドルに対して可動なトリガーをさらに含み、
少なくともあらかじめ定められた力が前記トリガーに加えられたとき、前記係合機構が前記付勢力に反作用し、
前記あらかじめ定められた力より小さい力が前記トリガーに加えられたとき、前記付勢力が前記バルブコアに伝達される、請求項10に記載の燃焼溶射ガン。
【請求項１２】
前記ハウジングと回転可能に連結されたトーション要素をさらに含み、該トーション要素は前記付勢力を前記バルブコアに選択的に伝達する、請求項10に記載の燃焼溶射ガン。
【請求項１３】
前記係合機構が、前記トーション要素にチャージ位置で係合し、前記トーション要素を前記チャージ位置に保持することによって、前記付勢力に反作用する、請求項12に記載の燃焼溶射ガン。
【請求項１４】
少なくともあらかじめ定められた力が前記係合機構のトリガーに加えられたとき、前記係合機構が前記トーション要素を前記チャージ位置に保持し、
前記あらかじめ定められた力より小さい力が前記係合機構のトリガーに加えられたとき、前記係合機構が前記トーション要素から係合解除する、請求項13に記載の燃焼溶射ガン。
【請求項１５】
前記バルブコアが、前記トーション要素が前記係合機構によって前記チャージ位置に保持されている間、前記トーション要素および前記ハウジングに対して回転可能である、請求項13に記載の燃焼溶射ガン。
【請求項１６】
燃焼溶射ガンを動作させる方法であって、
トーション要素をチャージ位置へとチャージするステップと、
前記トーション要素を前記チャージ位置に選択的に維持するようにトリガーを解放可能に把持するステップと、
前記トーション要素が前記チャージ位置に選択的に維持されている間、ノズルへのガス流を調整するステップと、
前記トリガーが解放されるとき、前記ノズルへの前記ガス流を切断するステップと、を含んでいる方法。
【請求項１７】
前記トーション要素をチャージするステップが、バルブコアを付勢要素の力に対抗してオフ位置からフロー位置に回転するステップを含み、
前記ガス流を切断するステップが、前記付勢要素の力のもとで前記トーション要素が前記バルブコアをオフ位置に移動するステップを含んでいる、請求項16に記載の方法。
【請求項１８】
前記ガス流を点火するステップをさらに含んでいる、請求項16に記載の方法。
【請求項１９】
金属ワイヤを点火されたガス流へと送るステップをさらに含んでいる、請求項18に記載の方法。
【請求項２０】
前記トリガーを解放可能に把持するステップが、爪を前記トーション要素に形成された切欠きへと挿入するステップを含んでいる、請求項16に記載の方法。
【発明の詳細な説明】
【技術分野】
【０００１】
本発明は一般に、コーティングを塗布するためのシステムおよび方法に関し、より詳細には、手持ち式燃焼溶射ガンを制御するための本質的に安全な多ポートバルブに関する。
【背景技術】
【０００２】
様々な目的で対象物にコーティングを施すための燃焼ワイヤ溶射システムおよびプロセスが知られている。典型的な燃焼ワイヤ溶射システムは、酸素、燃料ガス、および空気を混合して金属ワイヤを溶融し、溶融した金属をコーティングとして目的の対象物の上に溶射する手持ち式燃焼溶射ガンを含む。例えば、従来の燃焼溶射ガンは、1つまたは複数の金属ワイヤをガンへと引き込む空気タービンによって駆動される1組のドライブロールを有する。酸素および燃料ガスはガン内で混合され、点火されて火炎を生成する。一般的な燃料ガスは、アセチレン、水素、プロパン、メチルアセチレン‐プロパジエン、または天然ガスを含む。圧縮空気を使用して、出口ノズルを含む空気キャップでの火炎を形成し加速する。金属ワイヤが火炎へと送り込まれ、そこで溶融され霧化される。このようにして、金属の溶滴が、被覆しようとする対象物に向かって発射される。
【０００３】
溶射された溶融金属は、対象物の上で凝固して、対象物の表面に1つまたは複数の性能向上特徴を与えるコーティングを形成する。例えば、燃焼ワイヤ溶射コーティングは、限定はされないが、腐食防止、摩耗防止、表面修復、電気/熱伝導性、表面装飾等を含む多くの用途に使用することができる。
【０００４】
従来の空気動力燃焼溶射ガンは、一般に、例えば、酸素、燃料ガス、および圧縮空気など、ガンを通る様々なガスの流れを制御するためのバルブコアを有する。バルブコアは、バルブコアの回転位置によって、ガン内での異なるガスの流れを選択的に制御する、様々なポートおよび通路を有する回転要素とすることができる。例えば、バルブコアはポートを有することができ、オフ、アイドル/点火、およびフルフロー動作状態の制御された流れを達成するように、複数のガスを同時に制御することができるようになっている。特に、バルブコアを所定の位置に回転することによって、バルブコア内のポートをガンの他の部分のガス通路と整列させる。バルブコアの様々なポートの直径は、それぞれのガスの供給圧力によって流れ調節口として作用することによって、それぞれのガスの流れを予測する。
【０００５】
一般に、バルブコアの位置は、オペレータが燃焼溶射ガンから延びるバルブコアハンドルを使用することによって設定される。オペレータが、バルブコアハンドルを、例えば、オフ、アイドル/点火、およびフルフロー等、動作状態に対応するあらかじめ定められた位置に回転すると、バルブコアは、その動作状態のためのガスの正確な混合を行うようにガン内で配置される。一般に、ばね負荷された戻り止め機構が、バルブコアをそれぞれのあらかじめ定められた位置に維持する。このようにして、オペレータはバルブコアハンドルを使用してガンの動作状態を設定し、次いでバルブコアハンドルを解放し、ガンの動きを制御するために両手を使用することができる。バルブコアはいったん設定されると定位置にとどまるので、オペレータがバルブコアハンドルをオフ位置に回転するまで、ガンは高速火炎および溶融金属を放射し続ける。これにより、例えば、フルフローで動作しているガンを落とした場合など、安全上の問題が起きることがある。
【０００６】
上述のような従来の空気動力燃焼溶射ガンは、オペレータが事故にあった場合、ガンの動作を自動的に停止する機構を有していない。ロボットから手持ち式動力工具まで、多くの電気動力デバイスは、オペレータがスイッチを解放するとデバイスまたは工具への電力を切断する、安全「デッドマン」スイッチを有する。しかし、手持ち式空気動力燃焼溶射ガンは電力を利用していないため、電気的デッドマンスイッチはそのような燃焼溶射ガンには適用可能ではない。
【０００７】
さらに、既知の電気的緊急切断デバイスには、オンおよびオフ位置しかない。一方、手持ち式空気動力燃焼ガンには、異なるガス流状態のために複数の位置設定が必要である。さらに、手持ち式空気動力燃焼ガンは、オペレータの疲労を最小限にするために軽量とするべきであり、既存のガンに追加の安全バルブを付加することは望ましくない。
【発明の概要】
【発明が解決しようとする課題】
【０００８】
したがって、当技術分野では上記の欠点を克服する必要がある。
【課題を解決するための手段】
【０００９】
本発明の例示的な実施形態および利点は、本開示および添付の図面を精査することによって、確認することができる。本発明の第1の態様では、燃焼溶射ガンのための安全機構を設けるように構成された装置を示す。装置は、燃焼溶射ガンのハウジングに対して、チャージ位置に回転可能なトーション要素を含む。装置はまた、トーション要素に力を加える付勢要素も含み、その力がバルブコアをオフ位置に移動するようにトーション要素を押し付ける。装置はさらに、トーション要素に選択的に係合し、チャージ位置に保持するように構成された係合機構を含む。
【００１０】
実施形態では、少なくともあらかじめ定められた力が係合機構に加えられたとき、係合機構はトーション要素をチャージ位置に保持し、あらかじめ定められた力より小さい力が係合機構に加えられたとき、係合機構はトーション要素から係合解除する。また、バルブコアは、トーション要素が係合機構によってチャージ位置に保持されている間、トーション要素およびハウジングに対して回転可能とすることができる。
【００１１】
特定の実施例では、トーション要素は係合面を有し、係合機構は係合面に係合する構造および配置の爪を有する。係合面は、トーション要素の外側部分の切込みに形成することができる。装置は、爪に固定的に連結されているトリガーをさらに含むことができ、トリガーは、爪をトーション要素に対して移動させる構造である。あらかじめ定められた力より大きい、またはそれと等しいトリガー力をトリガーに加えることによって、爪を係合面と係合させて維持し、付勢要素がトーション要素を回転させることを防ぐ。
【００１２】
付勢要素は、ハウジングに対して回転するようにトーション要素を付勢するばねとすることができる。また、燃焼溶射ガンは、手持ち式空気動力燃焼溶射ガンとすることができる。
【００１３】
本発明の別の態様では、ハウジングおよびハウジング内に回転可能に配設されたバルブコアを含むガスヘッドアセンブリを有する燃焼溶射ガンを示す。バルブコアは、オフ位置とフルフロー位置との間で選択的に配置可能である。ガンはまた、バルブコアをオフ位置に向かって付勢するように配置可能な付勢要素、および付勢要素に関連付けられた付勢力に選択的に反作用するように構成された係合機構も含む。
【００１４】
実施形態では、ガンはさらに、ハンドルおよびハンドルに対して可動なトリガーを有する。少なくともあらかじめ定められた力がトリガーに加えられたとき、係合機構は付勢力に反作用し、あらかじめ定められた力より小さい力がトリガーに加えられたとき、付勢力がバルブコアに伝達される。
【００１５】
別の実施形態では、ガンは、ハウジングと回転可能に連結されるトーション要素を含む。トーション要素は、付勢力をバルブコアに選択的に伝達する。他の実施形態では、係合機構は、トーション要素にチャージ位置で係合し、トーション要素をチャージ位置に保持することによって、付勢力に反作用する。他の実施形態でも、少なくともあらかじめ定められた力が係合機構のトリガーに加えられたとき、係合機構はトーション要素をチャージ位置に保持し、あらかじめ定められた力より小さい力が係合機構のトリガーに加えられたとき、係合機構はトーション要素から係合解除する。バルブコアは、トーション要素が係合機構によってチャージ位置に保持されている間、トーション要素およびハウジングに対して回転可能とすることができる。
【００１６】
本発明の別の態様では、燃焼溶射ガンを動作させる方法を示す。方法は、トーション要素をチャージ位置へとチャージするステップと、トーション要素をチャージ位置に選択的に維持するようにトリガーを解放可能に把持するステップとを含む。方法はまた、トーション要素がチャージ位置に選択的に維持されている間、ノズルへのガス流を調整するステップと、トリガーが解放されるとき、ノズルへのガス流を切断するステップとを含む。
【００１７】
実施形態では、トーション要素をチャージするステップは、バルブコアを付勢要素の力に対抗してオフ位置からフロー位置に回転するステップを含み、ガス流を切断するステップは、トーション要素が付勢要素の力のもとでバルブコアをオフ位置に移動するステップを含む。
【００１８】
方法はさらに、ガス流を点火するステップと、金属ワイヤを点火されたガス流へと送るステップを含むことができる。特定の実施形態では、トリガーを解放可能に把持するステップは、爪をトーション要素に形成された切欠きへと挿入するステップを含む。
【００１９】
本発明の例示的な実施形態の非限定的な例を使用して、記載された複数の図面を参照しながら、本発明を以下でより詳細に説明する。いくつかの図面の図を通して同様の参照符号は同様の部品を表す。
【図面の簡単な説明】
【００２０】
【図１】本発明の態様による燃焼溶射ガンで使用するための安全機構の態様を示す図である。
【図２】本発明の態様による燃焼溶射ガンで使用するための安全機構の態様を示す図である。
【図３】本発明の態様による燃焼溶射ガンで使用するための安全機構の態様を示す図である。
【図４Ａ】本発明の態様による燃焼溶射ガンで使用するための安全機構の態様を示す図である。
【図４Ｂ】本発明の態様による燃焼溶射ガンで使用するための安全機構の態様を示す図である。
【図４Ｃ】本発明の態様による燃焼溶射ガンで使用するための安全機構の態様を示す図である。
【図４Ｄ】本発明の態様による燃焼溶射ガンで使用するための安全機構の態様を示す図である。
【図４Ｅ】本発明の態様による燃焼溶射ガンで使用するための安全機構の態様を示す図である。
【図４Ｆ】本発明の態様による燃焼溶射ガンで使用するための安全機構の態様を示す図である。
【図５Ａ】本発明の態様による燃焼溶射ガンで使用するための安全機構の態様を示す図である。
【図５Ｂ】本発明の態様による燃焼溶射ガンで使用するための安全機構の態様を示す図である。
【図５Ｃ】本発明の態様による燃焼溶射ガンで使用するための安全機構の態様を示す図である。
【図５Ｄ】本発明の態様による燃焼溶射ガンで使用するための安全機構の態様を示す図である。
【図５Ｅ】本発明の態様による燃焼溶射ガンで使用するための安全機構の態様を示す図である。
【図５Ｆ】本発明の態様による燃焼溶射ガンで使用するための安全機構の態様を示す図である。
【図６Ａ】本発明の態様による燃焼溶射ガンで使用するための安全機構の態様を示す図である。
【図６Ｂ】本発明の態様による燃焼溶射ガンで使用するための安全機構の態様を示す図である。
【図６Ｃ】本発明の態様による燃焼溶射ガンで使用するための安全機構の態様を示す図である。
【図６Ｄ】本発明の態様による燃焼溶射ガンで使用するための安全機構の態様を示す図である。
【図６Ｅ】本発明の態様による燃焼溶射ガンで使用するための安全機構の態様を示す図である。
【図６Ｆ】本発明の態様による燃焼溶射ガンで使用するための安全機構の態様を示す図である。
【図７】本発明の態様による燃焼溶射ガンで使用するための安全機構の態様を示す図である。
【図８】本発明の態様による燃焼溶射ガンで使用するための安全機構の態様を示す図である。
【図９】本発明の態様による燃焼溶射ガンで使用するための安全機構の態様を示す図である。
【図１０】本発明の態様による燃焼溶射ガンで使用するための安全機構の態様を示す図である。
【図１１】本発明の態様による燃焼溶射ガンで使用するための安全機構の態様を示す図である。
【図１２】本発明の態様による燃焼溶射ガンで使用するための安全機構の態様を示す図である。
【図１３】本発明の態様による安全機構を備えた燃焼溶射ガンを示す図である。
【図１４】本発明の態様による燃焼溶射ガンで使用するための安全機構の代替実施形態の態様を示す図である。
【図１５】本発明の態様による燃焼溶射ガンで使用するための安全機構の代替実施形態の態様を示す図である。
【図１６】本発明の態様による燃焼溶射ガンで使用するための安全機構の代替実施形態の態様を示す図である。
【図１７】本発明の態様による燃焼溶射ガンで使用するための安全機構の代替実施形態の態様を示す図である。
【発明を実施するための形態】
【００２１】
本明細書に示す詳細は、例を使用して、本発明の実施形態の例示的な考察のみを目的とするものであり、本発明の原理および概念的な態様の最も有用で理解しやすい説明であると考えられるものを示すために述べる。これに関して、図面と併せて説明を読めば、本発明のいくつかの形態をどのように実用において実施することができるかは当業者には明らかであり、本発明の構造的な詳細を、本発明の基本的な理解に必要である以上に詳しく示すための試みは行わない。
【００２２】
本発明は一般に、コーティングを塗布するためのシステムおよび方法に関し、より詳細には、手持ち式燃焼溶射ガンを制御するための本質的に安全な多ポートバルブに関する。本発明の態様によれば、手持ち式空気動力燃焼溶射ガンのための安全機構が提供される。実施形態では、安全機構は、オペレータがトリガーを解放した場合、燃焼溶射ガンの動作を自動的に停止するデッドマンスイッチとして動作する。
【００２３】
特定の実施形態では、安全機構は、バルブコアをオフ位置に移動させる付勢要素によって押し付けられるトーションリングを含む。トーションリングは、燃焼溶射ガンのハンドルの付近にあるトリガーに力を加えることによって、オペレータによってチャージ位置に回転し、チャージ位置に保持することができる。トーションリングがチャージ位置に保持されている間、オペレータはバルブコアを、例えば、フルフロー、アイドル/点火、およびオフを含む、所望の動作位置に自由に回転する。しかし、オペレータがトリガーを解放するとき、付勢要素はバルブコアをオフ位置に回転することによって、酸素および燃料ガスの流れを自動的に遮断する。このようにして、本発明の実施例は、手持ち式空気動力燃焼溶射ガンのためのデッドマンスイッチを提供する。
【００２４】
本発明の実施形態は、本明細書では手持ち式燃焼ワイヤ溶射ガンに関して説明する。しかし、本発明は燃焼ワイヤ溶射ガンでの使用に制限されない。したがって、本発明の実施例は、限定はされないが、燃焼粉末溶射ガン、高速酸素燃料(HVOF)溶射システム、溶接システム等、回転バルブの回転位置がデバイスの動作を制御する、どのような手持ち式ガス動力デバイスで利用することもできる。
【００２５】
図1は、本発明の態様による燃焼溶射ガンのガスヘッドアセンブリ10の実施形態の部分断面図である。より詳細には、ガスヘッドアセンブリ10は、燃焼溶射ガンを通る酸素、燃料ガス、および圧縮空気を送るための様々なポートおよび通路20を有するハウジング15を含む。ガスヘッドアセンブリ10はまた、ある状況のもとで、燃焼溶射ガンを通るガスの流れを自動的に遮断するための安全機構25も含む。
【００２６】
実施形態では、安全機構25は、バルブコア40と回転可能に位置合わせされ、軸「A」周りでハウジング15に対して回転可能なトーションリング30を含む。図1および2を参照すると、トーションリング30は、バルブコア40を収容する孔35を有する。バルブコア40は、軸「A」周りでハウジング15およびトーションリング30の両方に対して回転可能である。図1および2には示されていないが、バルブコア40は、燃焼溶射ガンのガスヘッドアセンブリ10内のガスの流れを正確に制御するための適切なポートを含む。例えば、さらなる説明は不要であると思われるほどに既知であるが、オフ、アイドル/点火、およびフルフロー状態を含むがこれに限定はされない、少なくとも３つの動作状態のための酸素、燃料ガス、および圧縮空気のフロー状態を定義するように、バルブコア40およびハウジング15にポートを設けることができる。
【００２７】
図2に示すように、バルブコアハンドル45はバルブコア40に連結されている。バルブコアハンドル45は、オペレータがバルブコア40の回転位置を選択的に設定できるようにする。バルブコアハンドルはハウジング15のトーションリング30と反対側の端部50に示されているが、本発明はこの構成に制限されない。むしろ、バルブコアハンドル45およびトーションリング30は、ハウジング15に対して所望の任意の場所に配置することができる。例えば、バルブコアハンドルは、ハウジング15のトーションリング30と同じ側を含む、トーションリング30の周りのどのような周方向位置にも配置することができる。
【００２８】
特定の実施形態では、端部キャップ55がバルブコア40に固定的に連結されており、バルブコア40、バルブコアハンドル45、および端部キャップ55が一緒に単一ユニットとして回転するようになっている。端部キャップ55は、端部キャップ55のキャビティ70へと皿穴が開けられたヘッド65を有するねじ60を使用して、バルブコア40に取り付けることができる。しかし、本発明はこの構成に制限されず、圧入/摩擦嵌合、スプライン、接着剤等を含む他の連結構成を使用して、端部キャップ55をバルブコア40に取り付けることもできる。
【００２９】
さらに図2を参照すると、ピン75は、端部キャップ55の孔85内に固定的に保持された第1の端部80を有する。ピン75の第2の端部90は、トーションリング30のスロット95内に摺動的に受けられる。図1に示すように、スロット95は、第1のスロット端部100および第2のスロット端部105を有するアーチ形である。端部キャップ55によってバルブコア40に固定されたピン75の第1の端部80およびスロット95内に摺動可能に係合されたピン75の第2の端部90によって、スロット95は、バルブコア40とトーションリング30との間で行うことができる相対的な回転動作の範囲を画成する。
【００３０】
1つの実施例では、安全機構25はさらに、トーションリング30をハウジング15に対して第1の方向、例えば、矢印「B」で示すように時計回りに回転するように付勢する付勢要素110を含む。特定の実施形態では、付勢要素110は、トーションリング30の第1のアンカー孔126に係合された第1のばね端部115、およびハウジング15の第2のアンカー孔127に係合された第2のばね端部125を有するトーションばねから構成される。付勢要素110は、トーションリング30とハウジング15との間の相対回転動作を促すのに適切な、所望のタイプのばねとすることができる。好ましくは、付勢要素110は定荷重トーションばねである。しかし、本発明は定荷重トーションばねに制限されず、むしろ、限定はされないが、プレーントーションばね、ラウンドばね等を含むどのような適切なばねも使用することができる。
【００３１】
スロット95とピン75との間の相互作用によって、付勢要素110もまた、バルブコア40を、ある状態のもとでハウジング15に対して第1の方向「B」に回転するように付勢する。より詳細には、付勢要素110がトーションリング30をハウジング15に対して第1の方向「B」に回転させるとき、第1のスロット端部100はピン75に当接し、ピンを押し、バルブコア40をトーションリング30とともにハウジング15に対して第1の方向「B」に回転させる。バルブコア40およびハウジング15の少なくとも一方は、バルブコア40が第1の方向「B」にあらかじめ定められた位置を超えて回転することを防ぐ、機械的止め部(図示略)を備えることができる。好ましい実施形態では、あらかじめ定められた位置は、例えば酸素および燃料ガスがガスヘッドアセンブリ10を通って流れることを防ぐ、燃焼溶射ガンのオフ操作位置に対応する。
【００３２】
付勢要素110はトーションリング30を第1の方向「B」に押し付けるが、バルブコアハンドル45を使用して、バルブコア40およびトーションリング30を、例えば矢印「C」で示す反時計回りなど、第1の方向「B」と反対の第2の方向に回転させることもできる。例えば、オペレータは、ピン75が第1のスロット端部100に当接し、第1のスロット端部を押し、それによりバルブコア40およびトーションリング30を、ハウジング15に対して第2の方向「C」に一緒に回転させるように、付勢要素110の力に打ち勝つようにバルブコアハンドル45に十分な力を加えることができる。
【００３３】
付勢要素110に打ち勝つために必要な力の大きさは、付勢要素110を注意深く選択することにより、所望の任意の値に設定することができる。実施形態では、付勢要素110に打ち勝ち、バルブコア40およびトーションリング30をハウジング15に対して第2の方向「C」に一緒に回転させるためには、バルブコアハンドル45に約17から18インチポンドの力が必要である。しかし、本発明はこの値に制限されず、様々な部品の材料および形状の選択により、所望の任意の力を設定することができる。
【００３４】
図1を参照すると、安全機構25は、バルブコアハンドル45を使用して、例えばチャージ位置など、あらかじめ定められた位置にトーションリング30を方向「C」に回転させるとき、トーションリング30に形成された切込み120の接触面117に係合することができる爪130を含む。実施形態では、爪130は、例えば止めねじ140または他の適切な締結構造によって、心棒135に固定的に連結されている。心棒135はブラケット147によってハウジング15に固定された保持器145内に回転的に配設されている。このようにして、爪130は、トーションリング30に向かって、およびトーションリングから遠ざかるように、回転することができる。特に、爪130は、心棒135および保持器145を使用して、トーションリング30の切込み120に係合し、および係合から外れるように、回転することができる。
【００３５】
他の実施形態では、安全機構25はまた、心棒135に固定的に取り付けられたレバー150およびレバー150に固定的に取り付けられたトリガー155も含む。一部を図3に示すように、ガスヘッドアセンブリ10が燃焼溶射ガンの一部として含まれるとき、トリガー155は、燃焼溶射ガンのオペレータがハンドル160を保持し、トリガー155を片手で操作することができるように、燃焼溶射ガンのハンドル160の十分近くに置くことができる。トリガー155は、図1および3には円筒形または棒状に示されているが、本発明はこの形状には制限されず、トリガー155にはどのような適切な形状も使用することができる。
【００３６】
上述したように、付勢要素110は、バルブコア40を、空気、酸素および燃料ガスがガスヘッドアセンブリ10を通って流れることができない、オフ位置に付勢する。トーションリング30は、バルブコア40がオフ位置にあるとき、切込み120が爪130から遠ざかるように、バルブコア40およびハウジング15に対して構成されている。
【００３７】
燃焼溶射ガンを、例えばアイドルまたはフルフローなど、空気、酸素および燃料ガスがガスヘッドアセンブリ10を通って流れる、作動モードにするためには、オペレータは、バルブコアハンドル45に、付勢要素110に打ち勝つために十分な力を方向「C」に加える。上述のように、そのような力は、バルブコア40およびトーションリング30の両方を、ハウジング15に対して方向「C」に回転させる。このトーションリング30の回転が、切込み120を爪130に向かって回転させる。切込み120が回転して爪130と位置合わせされると、オペレータは、トリガー155をハンドル160に向かって引くことができ、それにより心棒135が保持器145内で回転し、爪130が前進して切込み120の接触面117に係合する。
【００３８】
本発明の態様によれば、安全機構25は、トリガー155にあらかじめ定められた力が加えられると、爪130を切込み120と係合したまま維持し、それによりトーションリング30をチャージ位置に固定保持するように構成されている。特に、爪130が切込み120に係合されるとき、トリガー155に十分な力を加えることによって、トーションリング30が方向「B」に回転しないようにすることができる。以下でさらに詳細に説明するように、トーションリング30がトリガー155および爪130によってチャージ位置に固定して保持されるとき、バルブコア40は、トーションリング30およびハウジング15に対して、燃焼溶射ガンの所望の動作位置に回転することできる。
【００３９】
一方、あらかじめ定められた力より小さい力がトリガー155に加えられるとき、付勢要素110の圧迫力は、切込み120および爪130の表面の形状と共同して、トーションリング30を回転させ、爪130を係合解除させる。したがって、オペレータによってトリガー155が解放されるとき、付勢要素110はトーションリング30を方向「B」に回転し、バルブコア40をオフ位置に回転する。このようにして、安全機構25は、燃焼溶射ガンのデッドマンスイッチとして動作する。
【００４０】
とりわけ、付勢要素110の力および爪130および接触面117の形状は、爪130を切込み120に係合したまま維持するためにトリガー155に必要な力の大きさに影響する。したがって、部品の材料および形状の選択により、あらかじめ定められた力を所望の値に調整することができる。好ましい実施形態では、オペレータの疲労を軽減するために、あらかじめ定められた力は比較的小さい。例えば、あらかじめ定められた力は、約1オンスから5ポンドの範囲、好ましくは約3オンスから4オンスの範囲とすることができる。他の実施形態では、接触面117および爪130の対応する表面は、トーションリング30の放射軸に対して約10°から30°の範囲の角度、好ましくは約15°から20°の範囲の角度、特に好ましくは約17°の角度で配置されている。この角度に配置された表面を使用することにより、トリガー155が解放されるとき、付勢要素110の圧迫力によって接触面117が爪130を切込みから外れるように押す。しかし、本発明はこの形状に制限されず、本発明の範囲内で所望の形状を使用することができる。
【００４１】
特に有利な実施形態では、アーチ形スロット95およびバルブコア40は、トーションリング30がチャージ位置に固定して保持されている間、バルブコア40を所望の動作位置に回転することができるように構成されている。図1および2ならびに上記の説明から明らかなように、トーションリング30が爪130および切込み120の係合によって固定保持されている間、バルブコア40はトーションリング30およびハウジング15に対して自由に回転する。特に、端部キャップ55を使用してバルブコア40に連結されているピン75は、爪130がトーションリング30を回転しないようにする間、アーチ形スロット95内で自由に摺動する。したがって、アーチ形スロット95およびバルブコア40内の様々なポートおよびハウジング15を適切にサイジングし配置することによって、トーションリング30が爪130によって固定して保持されているとき、バルブコア40を、バルブコアハンドル45を介して、例えばオフ、アイドル/点火、およびフルフローなど、所望の動作位置に回転することができる。
【００４２】
例えば、爪130が切込み120に係合しているとき、バルブコア40のフルフロー位置は、ピン75が第1のスロット端部100に当接する位置に対応することができ、バルブコア40のオフ位置は、ピン75が第2のスロット端部105に当接する位置に対応することができ、バルブコア40のアイドル/点火位置は、ピン75が第1のスロット端部100と第2のスロット端部105との間の実質的な中間点にくる位置に対応することができる。本発明は、バルブコア40のこれらの動作位置に制限されないことに留意されたい。その代わりに、爪130が切込み120に係合するとき、バルブコア40の所望の数の動作位置を、スロット95内のピン75の所望の位置に画成することができる。さらに、1つまたは複数の戻り止め機構(図示せず)をハウジング15内に使用して、バルブコア40を各動作位置に保持することができる。もちろん、戻り止め機構を使用するとき、付勢要素110は、トリガー155が解放されるとき戻り止め機構に打ち勝つために十分な回転力をもたらすように構成するべきである。
【００４３】
1つの実施例では、トーションリング30はプラスチックまたはアルミニウムから作製され、爪130は例えば硬化鋼など鋼鉄から作製され、トリガー155はアルミニウムから作製される。アルミニウム部品は、陽極酸化処理することができる。しかし、本発明はこれらの材料に制限されず、本明細書で説明した要素および部品は、本発明の範囲内において、どのような適切な材料から作製することもできる。
【００４４】
別の実施例では、摩耗パッド165が、1つの爪130および係合面117の少なくとも一方に、これらの部品の摩耗を軽減するために設けられている。摩耗パッド165は、硬化鋼、またはどのような他の適切な材料から作製することもできる。
【００４５】
本明細書で説明したように、ガスヘッドアセンブリ10および安全機構25は、手持ち式空気動力燃焼溶射ガンと組み合わせて使用することができる。そのような実施例では、安全機構25は、燃焼溶射ガンをデフォルトでオフ状態に付勢する。例示的な動作方法では、オペレータは、バルブコア40がデフォルトでオフ位置にある燃焼溶射ガンのハンドル160を把持し、バルブコアハンドル45に方向「C」に力を加えることができる。バルブコアハンドル45に加えられた力が付勢要素110に打ち勝つとき、バルブコア40およびトーションリング30は、機械的止め部がバルブコア40およびトーションリング30がハウジング15に対してさらに回転することを防ぐ停止位置に到達するまで、ハウジング15に対して方向「C」に回転する。この位置で、付勢要素は「チャージされ」、トーションリングはチャージ位置にくる。チャージ位置では、オペレータがトリガー155を適切な方向に、爪130を切込み120に係合させるために十分な力で移動させることができるように、切込み120は爪130と実質的に位置合わせされる。
【００４６】
実施形態では、トーションリング30がチャージ位置にあり、ピン75が第1のスロット表面100に当接するとき、バルブコア40はフルフロー動作位置にある。したがって、バルブコア40およびトーションリング30をハウジング15に対して方向「C」に停止位置まで回転することによって、オペレータは、空気、酸素および燃料ガスがガスヘッドアセンブリ10を通ってフルフロー速度で流れるようにすることができる。点火前にガスをフルフローにすることは、ガスラインをパージするのに役立ち、バックファイアを回避するために有益である。
【００４７】
フルフロー位置での十分なパージ時間の後、およびトリガー155にトーションリング30の回転を防ぐために十分な力を維持している間、オペレータは、バルブコア40がアイドル/点火位置にくるまで、バルブコアハンドル45を方向「B」に回転する。アイドル/点火位置では、バルブコア40は、より少ない量の酸素および燃料ガスがガスヘッドアセンブリ10を通って流れることができるようにする。このようにして、オペレータは、制御された方法で、燃焼溶射ガンのガス混合物を点火することができる。
【００４８】
ガス混合物を点火した後、およびトリガー155にトーションリング30の回転を防ぐために十分な力を維持している間、オペレータは、バルブコア40が、例えばフルフロー位置など、再度所望の位置にくるまで、バルブコアハンドル45を方向「C」に回転する。フルフロー位置で、オペレータは、燃焼溶射ガンを従来の方法で使用して、対象物にコーティングを塗布することができる。すなわち、金属ワイヤを点火されたガス混合物へと送り出すことができ、金属が溶融され、霧化され、ガンのノズルから発射される。オペレータがトリガー155にトーションリング30の回転を防ぐために十分な力を維持している間はいつでも、オペレータは、バルブコア40を、例えばフルフロー、アイドル/開始、およびオフなど、所望の動作位置に配置しなおすために、バルブコアハンドル45を、スロット95内に画成された所望の位置に移動することができる。
【００４９】
しかし、例えば、意図的にトリガーを解放する、ガンを誤って落とす等によって、オペレータがトリガー155を解放した場合、付勢要素110は、空気、酸素および燃料ガスがガスヘッドアセンブリ10を通って流れることを防ぎガンが実質的に停止されるオフ位置へと、自動的にバルブコア40を方向「B」に回転させる。このようにして、トーションリング30、付勢要素110、爪130、およびトリガー155を含む安全機構25は、ある状況のもとで、手持ち式空気動力燃焼溶射装置を自動的に停止するためのデッドマンスイッチとして作用する。有利には、安全機構25は燃焼溶射ガンの通常動作とは干渉せず、むしろ、燃焼溶射ガンは、いったん係合されると所望の動作状態で動作できる。
【００５０】
図4A〜4F、5A〜5F、および6A〜6Fは、本発明の別の実施形態の様々な図であり、同様の参照符号は、本明細書で既に説明した要素を表す。より詳細には、図4A〜4Fは、ハウジング15およびバルブコアハンドル45を有するガスヘッドアセンブリ10を示す。本発明の態様による安全機構25は、トーションリング30、爪130、心棒135、レバー150、およびトリガー155を含む。図4Aおよび4Eに示すように、爪130はトーションリング30から係合解除されている。したがって、バルブコア(図4A〜4Fには図示せず)は、トーションリング30、端部キャップ55、およびねじ60によって、デフォルトでオフ位置にあるものとして示されている。
【００５１】
図5A〜5Fは、バルブコアハンドル45、したがってバルブコアおよび端部キャップ55がフルフロー位置に配置されている装置を示す。図5A〜5Fには、トーションリング30も、切込み120が爪130と位置合わせされたチャージ位置で示されている。さらに、図5Aおよび5Eは、トリガー155が方向「D」に移動されており、それにより爪130がトーションリング30の切込み120に係合していることを示している。
【００５２】
図5A〜5Fに示す状態は、例えば、オペレータが、バルブコアハンドル45をデフォルトのオフ位置からトーションリング30をチャージ位置へと移動するように回転し、次いで、爪130を切込み120に係合させるようにトリガー155を把持した状況に対応する。トーションリング30は、オペレータがトリガー155に十分な力を維持する限り、ハウジング15に対して固定されたままとなる。トーションリング30がハウジングに対して固定保持される間、オペレータは、バルブコアハンドル45を、アーチ形スロット(図示せず)の境界内で所望の位置に移動することができる。しかし、オペレータがトリガーを解放した場合、付勢要素がトーションリング30をハウジング15に対して回転させ、バルブコア40はオフ位置へと押し付けられる。
【００５３】
図6A〜6Fは、バルブコアハンドル45がアイドル/開始位置に配置されており、トーションリング30が爪130およびトリガー155によってチャージ位置に保持されている装置を示す。図1〜3に関して上述したように、バルブコアハンドル45は、トーションリング30が爪130およびトリガー155によってチャージ位置に固定して保持されているとき、方向「B」または方向「C」に自由に回転する。しかし、トリガー155が解放されるとき、付勢要素(図4〜6には図示せず)は、トーションリング30、したがってバルブコアを、オフ位置に押し付ける。
【００５４】
図7〜12は、本発明の実施形態の様々な図を示し、同様の参照符号は、本明細書で既に説明した要素を表す。より詳細には、図7〜12は、ハウジング15、バルブコア40、およびバルブコアハンドル45を含むガスヘッドアセンブリ10の様々な図を示す。装置はまた、トーションリング30、付勢要素110、爪130、心棒135、レバー150、およびトリガー155を含む安全機構25も有する。端部キャップ55がねじ60によってバルブコア40に取り付けられ、スロット95がトーションリング30とバルブコア40との間の相対的な回転動作の範囲を画成する。
【００５５】
図7〜12には、任意のカバー200も示されている。実施形態では、カバー200は、トーションリング30および端部キャップ55を覆い保護する第1の部分202を含む。第1の部分202は、実質的に円筒形とすることができるが、本発明はこの形状に制限されず、所望の形状を使用することができる。他の実施形態では、カバー200は、爪130の少なくとも一部を覆い保護する第2の部分203を含む。第1の部分202および第2の部分203は一体とすることができ、または互いに脱着可能に連結することもできる。特定の実施形態では、カバー200は、限定はされないが、少なくとも1つのねじ204など、少なくとも1つの機械的締結具によって、ハウジング15に脱着可能に連結されている。
【００５６】
さらに、図7〜12には、酸素、燃料ガス、および圧縮空気をガスヘッドアセンブリ10へと入力することができる入口ポート205、210、および215も示されている。また、ガスヘッドアセンブリ10を通る酸素、燃料ガス、および圧縮空気を送るための、バルブコア40内の多数の内部ポート220a、220b、220c等、およびハウジング15内の多数の内部ポート230a、230b等も示されている。1つの実施形態では、ハウジング15は、燃焼溶射ガンの空気キャップを連結するためのフランジ240または他の取り付け構造を含む。
【００５７】
図13は、本発明の態様による燃焼溶射ガン250を示す。実施形態では、燃焼溶射ガン250は、本明細書で説明したガスヘッドアセンブリ10および安全機構25を含む。例えば、ガスヘッドアセンブリ10は、酸素、燃料ガス、および処理空気のための入口205、210、215を有するハウジング15を含む。安全機構25の一部分が、ねじ204によってハウジング15に脱着可能に連結されている、カバー200内に含まれている。バルブコアハンドル45は、バルブコアの位置を調整するために、ハウジング15の一方の側から延びている。
【００５８】
実施形態では、燃焼溶射ガン250は、ハンドル160を含む。トリガー155は、オペレータがハンドル160によって燃焼溶射ガン250を保持しながらトリガー155を操作することができるように、ハンドル160の付近に延びる。燃焼溶射ガン250はまた、酸素および燃料ガスを混合するように機能する空気キャップ255を含むことができる。
【００５９】
他の実施形態では、燃焼溶射ガン250は、圧縮空気によって駆動される空気タービン260を含む。空気タービン260は、減速ギアシステムによって内部ワイヤドライブロールを駆動して、金属ワイヤをワイヤ入口265へと引き込み、金属ワイヤを空気キャップ255へと移動し、そこで金属が溶融され、霧化され、出口ノズル270から出るガスの流れに取り込まれる。
【００６０】
図14〜16は、本発明の実施例による手持ち式燃焼溶射ガンのための安全機構の別の実施形態の図を示す。より詳細には、図14〜16はハウジング315およびバルブコアハンドル345を有するガスヘッドアセンブリ310を示しており、それらは図1に関して説明したガスヘッドアセンブリ10、ハウジング15およびバルブコアハンドル45と同様とすることができる。ガスヘッドアセンブリ310はまた、ポートおよび回転位置を使用して酸素、燃料ガス、および圧縮空気の流れを制御するように動作する、図1に関して説明したバルブコア40と同様のバルブコア340も含むことができる。
【００６１】
図1に示す実施形態と反対に、バルブコア340は、リンク装置380によってトリガー385に取り付けられた爪375に選択的に係合可能な複数の係合面370a、370b、370cを含む。特定の実施形態では、各係合面370a、370b、370cはそれぞれ、バルブコア340のあらかじめ定められた動作位置に対応する。さらに、付勢要素365がバルブコア340とハウジング315との間に連結されており、バルブコア340を、例えばバルブコアハンドル345の位置「G」によって表されるオフ位置に向かって押し付ける。付勢要素365は、例えば図1および2に関して上記で説明したものと同様のトーションばねとすることができる。しかし、図14〜16に示す実施形態には、トーションリングはない。その代わりに、付勢要素365がバルブコア340に直接作用して、常にハウジングに対して回転するようにバルブコアを押し付ける。あるいは、付勢要素365がトーションリングとハウジング315との間に配置され、トーションリングとバルブコア340との間に相対動作がない場合、バルブコア340に固定されたトーションリングを使用することができる。
【００６２】
図14〜16に示す装置を使用する際、オペレータは、ハンドル390によって燃焼溶射ガンを保持し、バルブコアハンドル345を、例えばフルフロー位置「H」など、所望の位置に移動させる。バルブコアハンドル345があらかじめ定められた動作位置に設定されると、オペレータはトリガー385を把持して、爪375を、バルブコア340およびバルブコアハンドル345の選択された動作位置に対応する各係合面370a、370b、370cに係合させる。
【００６３】
バルブコア340を動作位置間で移動させるためには、オペレータは、バルブコアハンドル345を把持し、トリガー385を解放し、バルブコアハンドル345を新しい位置へと回転し、次いで、トリガーを再び把持して、爪375を係合面370a、370b、370cの別のものと係合させる。オペレータが何らかの理由でバルブコアハンドル345を同時に制御せずにトリガーを解放した場合、付勢要素365はバルブコア340を自動的にオフ位置に回転させる。このようにして、図14〜16に示す装置は、例えばトーションリング、端部キャップ等の要素を排除することによって、重量および容積が低減されたデッドマンスイッチを提供する。
【００６４】
図17は、本発明の実施例による手持ち式燃焼溶射ガンのための安全機構の別の実施形態を示す。図1〜16に関して上記で説明したものなど、機械的に駆動される爪の代わりに、爪は空気圧的または電気的に駆動することもできる。より詳細には、図17は空気圧的に駆動される爪475を備えた安全機構を示しており、その爪はバルブコア440の係合面470a、470b、470cに係合し、および係合から外れるように可動である。バルブコア440は図14〜16に関して上記で説明したバルブコア340と同様とすることができ、そのコアはポートおよび回転位置を使用して酸素、燃料ガス、および圧縮空気の流れを制御するように動作し、あらかじめ定められた動作位置に対応する複数の各係合面470a、470b、470cを含む。さらに、バルブコア440は、図1に関して上記で説明したものと同様の、燃焼溶射ガンのガスヘッドアセンブリのハウジング内に回転可能に保持することができる。
【００６５】
実施形態では、付勢要素465は、バルブコア440とハウジングとの間に連結されており、バルブコア440をオフ位置に向かって押し付ける。付勢要素465は、例えば図1および2に関して上記で説明したものと同様のトーションばねとすることができる。しかし、図17に示す実施形態には、トーションリングはない。その代わりに、付勢要素465がバルブコア440に直接作用して、常にハウジングに対して回転するようにバルブコア440を押し付ける。あるいは、付勢要素がトーションリングとハウジングとの間に配置され、トーションリングとバルブコア440との間に相対動作がない場合、バルブコア440に固定されたトーションリングを使用することができる。
【００６６】
図17に示す実施例では、爪475は、空気圧的アセンブリを使用して係合面470a、470b、470cに係合し、および係合から外れる。より詳細には、爪475は、シリンダー520内に摺動可能に維持されるピストン515の一部として形成される。シリンダー520内部のばね525がピストン515のヘッド530に作用して、例えば爪475がいずれの表面470a、470b、470cとの係合からも外れるように、ピストン515をバルブコア440から遠ざかるように押し付ける。
【００６７】
ピストン515は、ヘッド530のばね525と反対の側でシリンダー520のチャンバー535内に十分な圧力を加えることによって、例えば爪475をバルブコア440に向かって移動させるように、ばね525の力に対抗して移動させることができる。より詳細には、ヘッド530の表面部分に作用するチャンバー535内の圧力がばね525の力を超えるとき、ピストン515はシリンダー520から外へ延び、爪475がバルブコア440に向かって駆動されるようになる。あるいは、ヘッド530の表面部分に作用するチャンバー535内の圧力がばね525の力を超えないとき、ピストン515はシリンダー520内へと引き込まれ、爪475がバルブコア440から遠ざかるように引っ張られる。
【００６８】
燃焼溶射ガンの圧縮空気源550とシリンダー520との間に動作的に連結されているトリガー540およびスイッチ545を介して、チャンバー535に空気圧が選択的に供給される。より詳細には、トリガー540がハンドル555に向かって押し下げられるとき、トリガー540はスイッチ545を第1の状態へと動かす。スイッチ545は、第1の状態では、ベント560が閉じられ、圧縮空気源550が管路565と連通するように構成されている。したがって、スイッチ545が第1の位置にあるとき、圧縮空気は圧縮空気源550から管路565を通ってチャンバー535へと流れ、それによりばね525の力に打ち勝ち、爪475をバルブコア440に向かって移動させる。したがって、トリガー540がハンドル555に向かって押し下げられるとき、爪475はバルブコア440に向かって延びる。
【００６９】
一方、例えば燃焼溶射ガンが誤って落下した場合など、トリガー540がハンドル555から遠ざかるように移動したとき、トリガー540はスイッチ545を第2の状態にする。第2の状態では、ベント560が大気に開放され、圧縮空気源550が、例えば管路565と連通しないようにブロックされる。このようにして、チャンバー535および管路565からの空気をベント560から排出することができる。したがって、ばね525の力によってピストン515がシリンダー520内へと引き込まれ、それにより爪475がバルブコア440との係合から外れるように引っ張られる。
【００７０】
図17に示す装置を使用する際、オペレータは、ハンドル555によって燃焼溶射ガンを保持し、バルブコアハンドルを、例えば係合面470aが爪475と位置合わせされるフルフロー位置など、所望の位置に移動させる。バルブコアハンドルが所望の動作位置に設定されると、オペレータはトリガー540をハンドル555に向かって引っ張る。これにより、爪475は、バルブコア440およびバルブコアハンドルの選択された動作位置に対応する各係合面470a、470b、470cに係合する。
【００７１】
バルブコア440を動作位置間で移動させるためには、オペレータは、バルブコアハンドルを把持し、トリガー540を解放し、バルブコアハンドルを新しい位置へと回転し、次いで、トリガーを再び把持して、爪475を係合面470a、470b、470cの別のものと係合させる。オペレータが何らかの理由でバルブコアハンドルを同時に制御せずにトリガー540を解放した場合、爪475がバルブコア440との係合から外れるように移動し、付勢要素465がバルブコア440を自動的にオフ位置に回転させる。このようにして、図17に示す装置は、空気圧的に動作するデッドマンスイッチを提供する。
【００７２】
別の実施形態では、図17に示す空気圧的に動作する爪475は、図1および2で示す安全機構とともに使用することができる。例えば、トリガー155および爪130を使用する代わりに、トリガー540、バルブ545、ピストン515、シリンダー520、ばね525、管路565、および空気源550を選択的に使用して、爪475をトーションリング30の切込み120に係合するように移動させることができる。あるいは、爪130に力を選択的に加えるように、トリガー540、バルブ545、ピストン515、シリンダー520、ばね525、管路565、および空気源550を配置して、爪475をトーションリング30の切込み120に係合するように選択的に移動させることができる。
【００７３】
図17に示す空気圧的装置の代わりに、ソレノイドまたは他の電気アクチュエータを使用することができる。例えば、トリガーを押し下げることによって、ソレノイドを、バルブコアまたはトーションリングの係合面に係合するように爪を移動する第1の位置へと駆動し、トリガーを解放することによって、ソレノイドを、バルブコアまたはトーションリングとの係合から外れるように爪を移動する第2の位置へと駆動することができる。
【００７４】
それに加えて、またはその代わりに、ソレノイドに電気的に接続されているが手持ち式燃焼溶射ガンに対して遠隔地に置かれている、緊急停止ボタンが設けられてもよい。実施形態では、緊急停止ボタンを押すことによって、ソレノイドを第2の位置へと駆動する。このようにして、燃焼溶射ガンから遠く離れたところにいる人が、緊急停止ボタンを押すことによって、燃焼溶射ガンを停止することができる。
【００７５】
それに加えて、またはその代わりに、ソレノイドに電気的に接続されているが手持ち式燃焼溶射ガンに対して遠隔地に置かれている、コンピュータ制御装置が設けられてもよい。例えば、コンピュータ制御装置は、燃焼溶射ガンの動作パラメータを検出するセンサーを備えることができる。所定の状態が検出されたとき、コンピュータ制御装置は、ソレノイドを第2の位置へと駆動して、バルブコアから爪を係合解除させ、トーションばねをバルブコアをオフ位置に自動的に回転させることができる。
【００７６】
本明細書で説明した安全機構は、回転バルブコアを使用する既存の手持ち式ガス動力デバイスに対して、追加または改造することができる。より詳細には、本明細書で説明した安全機構を、バルブコアおよび/またはハウジングの内部ポートおよびガス通路を修正することなく、外付けで追加することができる。
【００７７】
上記の例は、単に説明のために示したに過ぎず、本発明を制限すると解釈されるものでは全くないことに留意されたい。本発明は例示的な実施形態を参照して説明したが、本明細書で使用した用語は、制限の用語ではなく、説明および例示の用語であることを理解されたい。本発明の態様における範囲および精神から逸脱することなく、現在記載および補正されている添付の特許請求の範囲内で、変更を行うことができる。本発明は本明細書において特定の手段、材料および実施形態を参照して説明したが、本発明は本明細書で開示された詳細に制限されるものではなく、本発明は、添付の特許請求の範囲の範囲内にあるものなど、すべての機能的に均等な構造、方法および使用を対象とする。
【符号の説明】
【００７８】
10  ガスヘッドアセンブリ
15  ハウジング
20  ポートおよび通路
25  安全機構
30  トーションリング
35  孔
40  バルブコア
45  バルブコアハンドル
50  端部
55  端部キャップ
60  ねじ
65  ヘッド
70  キャビティ
75  ピン
80  端部
85  孔
90  端部
95  スロット
100  第1のスロット端部
105  第2のスロット端部
110  付勢要素
115  第1のばね端部
117  接触面
120  切込み
125  第2のばね端部
126  第1のアンカー孔
127  第2のアンカー孔
130  爪
135  心棒
140  止めねじ
145  保持器
147  ブラケット
150  レバー
155  トリガー
160  ハンドル
165  摩耗パッド
200  カバー
202  第1の部分
203  第2の部分
204  ねじ
205  入口ポート
210  入口ポート
215  入口ポート
220a  内部ポート
220b  内部ポート
220c  内部ポート
230a  内部ポート
230b  内部ポート
240  フランジ
250  燃焼溶射ガン
255  空気キャップ
260  空気タービン
265  ワイヤ入口
270  出口ノズル
310  ガスヘッドアセンブリ
315  ハウジング
340  バルブコア
345  バルブコアハンドル
365  付勢要素
370a  係合面
370b  係合面
370c  係合面
375  爪
380  リンク装置
385  トリガー
390  ハンドル
440  バルブコア
465  付勢要素
470a  係合面
470b  係合面
470c  係合面
475  爪
515  ピストン
520  シリンダー
525  ばね
530  ヘッド
535  チャンバー
540  トリガー
545  スイッチ
550  圧縮空気源
555  ハンドル
560  ベント
565  管路
【図１】
2010255117.tif 000003
【図２】
2010255117.tif 000004
【図３】
2010255117.tif 000005
【図４Ａ】
2010255117.tif 000006
【図４Ｂ】
2010255117.tif 000007
【図４Ｃ】
2010255117.tif 000008
【図４Ｄ】
2010255117.tif 000009
【図４Ｅ】
2010255117.tif 000010
【図４Ｆ】
2010255117.tif 000011
【図５Ａ】
2010255117.tif 000012
【図５Ｂ】
2010255117.tif 000013
【図５Ｃ】
2010255117.tif 000014
【図５Ｄ】
2010255117.tif 000015
【図５Ｅ】
2010255117.tif 000016
【図５Ｆ】
2010255117.tif 000017
【図６Ａ】
2010255117.tif 000018
【図６Ｂ】
2010255117.tif 000019
【図６Ｃ】
2010255117.tif 000020
【図６Ｄ】
2010255117.tif 000021
【図６Ｅ】
2010255117.tif 000022
【図６Ｆ】
2010255117.tif 000023
【図７】
2010255117.tif 000024
【図８】
2010255117.tif 000025
【図９】
2010255117.tif 000026
【図１０】
2010255117.tif 000027
【図１１】
2010255117.tif 000028
【図１２】
2010255117.tif 000029
【図１３】
2010255117.tif 000030
【図１４】
2010255117.tif 000031
【図１５】
2010255117.tif 000032
【図１６】
2010255117.tif 000033
【図１７】
2010255117.tif 000034
【外国語明細書】
2010255117.tif 000035
2010255117.tif 000036
2010255117.tif 000037
2010255117.tif 000038
2010255117.tif 000039
2010255117.tif 000040
2010255117.tif 000041
2010255117.tif 000042
2010255117.tif 000043
2010255117.tif 000044
2010255117.tif 000045
2010255117.tif 000046
2010255117.tif 000047
2010255117.tif 000048
2010255117.tif 000049
2010255117.tif 000050
2010255117.tif 000051
2010255117.tif 000052
2010255117.tif 000053
2010255117.tif 000054
2010255117.tif 000055
2010255117.tif 000056
2010255117.tif 000057
2010255117.tif 000058
2010255117.tif 000059
2010255117.tif 000060
2010255117.tif 000061
2010255117.tif 000062
2010255117.tif 000063
2010255117.tif 000064
2010255117.tif 000065
2010255117.tif 000066
2010255117.tif 000067
2010255117.tif 000068
2010255117.tif 000069
2010255117.tif 000070
2010255117.tif 000071
2010255117.tif 000072
2010255117.tif 000073
2010255117.tif 000074
2010255117.tif 000075
2010255117.tif 000076
2010255117.tif 000077
2010255117.tif 000078
2010255117.tif 000079
2010255117.tif 000080
2010255117.tif 000081
2010255117.tif 000082
2010255117.tif 000083